(57)【特許請求の範囲】
【請求項１】
返信先の宛名を表示する返信宛名欄及び返信時の郵便料金を表示する返信料金表示欄を、表面に有するハガキ基材と、
前記返信宛名欄に剥離可能に貼付され、その返信宛名欄を目視不能に隠蔽し、往信先の宛名を表示する宛名ラベルと、
前記返信料金表示欄に剥離可能に貼付され、その返信料金表示欄を目視不能に隠蔽し、往信時の郵便料金を表示する往信料金表示ラベルとを備え、
前記ハガキ基材は、
質問欄及び回答欄を、裏面に有し、
前記回答欄上に形成され、返信時に前記宛名ラベルを貼付する宛名ラベル貼付欄を有し、
前記宛名ラベルは、往信先の宛名の表示領域の大きさに関わらず、前記回答欄に応じた大きさに形成されていること
を特徴とする往復ハガキ。
【請求項２】
請求項１に記載の往復ハガキを使用する往復ハガキの使用方法であって、
前記宛名ラベルを剥離して前記返信宛名欄を露出させ、前記往信料金表示ラベルを剥離して前記返信料金表示欄を露出させて返信すること
を特徴とする往復ハガキの使用方法。
【請求項３】
請求項２に記載の往復ハガキを使用する往復ハガキの使用方法であって、
前記宛名ラベルを前記回答欄に貼付し、その回答欄を隠蔽して返信すること
を特徴とする往復ハガキの使用方法。
【発明の詳細な説明】
【０００１】
【発明の属する技術分野】
本発明は、例えば、アンケート調査のように、質問票を送付し、その回答を回収するときに、好適に使用することができる往復ハガキ及びその使用方法に関するものである。
【０００２】
【従来の技術】
従来より、例えば、アンケート調査や、会合の出欠調査のように、特定の人に質問票を送付して回答依頼し、その回答を回収することが広く行われている。
このような場合、従来は、往復ハガキ、折畳式の隠蔽ハガキ、封書等が利用されている。特に、アンケート調査等は、一方的に送付するだけでなく、回答票の回収も必要であり、郵送料金も通常の２倍かかることから、封書に比べて、安価な往復ハガキ、隠蔽ハガキ等が利用されることが多い。
【０００３】
例えば、アンケート調査に使用される往復ハガキ１０は、図５に示すように、往信基材２０と、返信基材３０とを備える。往信基材２０は、往信宛名面２１と、その裏側のアンケート質問票面２２とを有し、返信基材３０は、返信宛名面３１と、その裏側のアンケート回答票面３２とを有する。往復ハガキ１０は、往信基材２０の往信宛名面２１と、返信基材３０のアンケート回答票面３２とが同一面になり（図５（Ａ））、往信基材２０のアンケート質問票面２２と、返信基材３０の返信宛名面３１とが同一面になるように、往信基材２０と、返信基材３０とを連接する（図５（Ｂ））。
アンケート調査者から、発送する場合は、このような往復ハガキ１０を２つ折りして往信宛名面２１を表出させ、返信宛名面３１を内向させる（図５（Ｃ））。
アンケート調査者へ返信する場合は、返信基材３０を切り離して送付する。
【０００４】
また、隠蔽ハガキの場合も、ほぼ同様の形態であるが、往信時に内向するアンケート質問票面２２、返信宛名面３１の少なくとも一方のほぼ全面に、剥離可能に疑似接着する特殊な感圧接着剤が塗布されている。これにより、アンケート依頼の送付時には、アンケート質問票面２２を隠蔽することができる。
【０００５】
【発明が解決しようとする課題】
上述したように、アンケート調査に往復ハガキ又は隠蔽ハガキを使用すれば、封書よりも低コストで済む。
しかし、往復ハガキ、隠蔽ハガキは、通常のハガキの２倍の用紙を使用しなければならず、アンケート質問票や、アンケート回答票の記載内容が少なく、ハガキ１枚で十分な場合であっても、その２倍の用紙が必要である。このことは、資源浪費を意味し、ひいては、環境破壊へとつながると考えられる。
また、従来の往復ハガキ、隠蔽ハガキは、返信時にアンケート回答面が露出するため、個人情報漏洩のおそれがある。
【０００６】
本発明の課題は、資源浪費を防止するとともに、プライバシー保護を図ることができる往復ハガキ及びその使用方法を提供することである。
【０００７】
【課題を解決するための手段】
本発明は、以下のような解決手段により、前記課題を解決する。なお、理解を容易にするために、本発明の実施形態に対応する符号を付して説明するが、これに限定されるものではない。
【０００８】
前記課題を解決するために、請求項１の発明は、返信先の宛名を表示する返信宛名欄（１１ａ）及び返信時の郵便料金を表示する返信料金表示欄（１１ｂ）を、表面に有するハガキ基材（１１）と、前記返信宛名欄（１１ａ）に剥離可能に貼付され、その返信宛名欄（１１ａ）を目視不能に隠蔽し、往信先の宛名を表示する宛名ラベル（１２）と、前記返信料金表示欄（１１ｂ）に剥離可能に貼付され、その返信料金表示欄（１１ｂ）を目視不能に隠蔽し、往信時の郵便料金を表示する往信料金表示ラベル（１３）とを備え、前記ハガキ基材（１１）は、質問欄（１１ｃ）及び回答欄（１１ｄ）を、裏面に有し、前記回答欄上に形成され、返信時に前記宛名ラベル（１２）を貼付する宛名ラベル貼付欄（１１ｅ）を有し、前記宛名ラベル（１２）は、往信先の宛名の表示領域の大きさに関わらず、前記回答欄（１１ｄ）に応じた大きさに形成されていることを特徴とする往復ハガキである。
【００１３】
請求項２の発明は、請求項１に記載の往復ハガキを使用する往復ハガキの使用方法であって、前記宛名ラベル（１２）を剥離して前記返信宛名欄（１１ａ）を露出させ、前記往信料金表示ラベル（１３）を剥離して前記返信料金表示欄（１１ｂ）を露出させて返信することを特徴とする往復ハガキの使用方法である。
【００１５】
請求項３の発明は、請求項２に記載の往復ハガキを使用する往復ハガキの使用方法であって、前記宛名ラベル（１２）を前記回答欄（１１ｄ）に貼付し、その回答欄（１１ｄ）を隠蔽して返信することを特徴とする往復ハガキの使用方法である。
【００１６】
【発明の実施の形態】
以下、図面等を参照して、本発明の実施の形態について、さらに詳しく説明する。
（第１実施形態）
図１は、本発明による往復ハガキの第１実施形態を示す図であり、図１（Ａ）は表面図、図１（Ｂ）は裏面図である。図２は、本発明による往復ハガキのハガキ基材を示す図であり、図２（Ａ）は表面図、図２（Ｂ）は裏面図である。
往復ハガキ１０は、ハガキ基材１１と、宛名ラベル１２と、往信料金表示ラベル１３とを備える。往復ハガキ１０は、アンケート調査に使用される。
【００１７】
ハガキ基材１１は、郵便規則で定められたサイズ、重量等を有する。ハガキ基材１１の表面には、図２（Ａ）に示すように、ハガキ返信先の宛名を表示する返信宛名欄１１ａ及び返信時の郵便料金を表示する返信料金表示欄１１ｂが設けられている。ハガキ基材１１の裏面には、アンケート質問票欄１１ｃ、アンケート回答票欄１１ｄ及び宛名ラベル貼付欄１１ｅが設けられている（図２（Ｂ））。
なお、スペースが足らない場合は、それらの一部を、表面下半分の一部分に設けてもよい。
【００１８】
宛名ラベル１２は、往信先の宛名を表示する。宛名ラベル１２は、ハガキ基材１１の返信宛名欄１１ａ上に、剥離可能に貼付されている。また、宛名ラベル１２は、後述の通り、一旦、剥離した後、宛名ラベル貼付欄１１ｅに貼付可能である。このような剥離貼付自在のラベルとしては、例えば、上質紙等のラベル基材の裏面に、再剥離型粘着剤（微球状粒子、硬化剤併用等）を塗布したものや、感圧接着剤、異種フィルム共押、積層擬似接着等による剥離可能構造を有するものがある。
なお、宛名ラベル１２への宛名印字は、貼付前後を問わずに行うことができる。
【００１９】
往信料金表示ラベル１３は、往信時の郵便料金（料金別納、料金後納、市内特別など）を表示する。往信料金表示ラベル１３も、宛名ラベル１２と同様の構造を有しており、ハガキ基材１１の返信料金表示欄１１ｂの上に、剥離可能に貼付されている。
【００２０】
図３は、本発明による往復ハガキの第１実施形態の使用方法を示す図である。
往復ハガキ１０を受け取った受取人は、ハガキ基材１１の表面から、宛名ラベル１２を剥がして、その下面に設けられた返信宛名欄１１ａを露出させ、剥がした宛名ラベル１２を、裏面の宛名ラベル貼付欄１１ｅに再貼付する。また、往信料金表示ラベル１３を剥がして返信料金表示欄１１ｂを露出させ、剥がした往信料金表示ラベル１３は廃棄する。
また、受取人は、裏面のアンケート質問票欄１１ｃを確認し、その回答をアンケート回答票欄１１ｄに記入し、返送する。
【００２１】
本実施形態によれば、宛名ラベル１２を宛名ラベル貼付欄１１ｅに貼付することで、返信人を明示することができるので、返信人氏名等の記入の手間を省略することができ、また、誤記入の心配もない。
また、通常のハガキと同じ大きさの１枚のハガキ基材を使用して、往信及び返信することができるので、資源の浪費を防止することができる。
すなわち、１枚のハガキ基材を使用して、往信及び返信することができるので、ハガキ本体の省資源化を図ることができ、森林資源消費をこれまでの約半分に押さえることができる。また、郵送時の重量も半減させることができるので、郵送に伴う物流エネルギーの低減化にも寄与する。また、往信側は、通常、回答後に不要となるため、ゴミとして廃棄されているが、この部分がなくなれば、埋め立て又は焼却にともなうエネルギーが不要になる。
【００２２】
（第２実施形態）
図４は、本発明による往復ハガキの第２実施形態を示す図であり、図４（Ａ）は表裏面図、図４（Ｂ）は使用方法を示す図である。
なお、以下に示す実施形態では、前述した第１実施形態と同様の機能を果たす部分には、同一の符号を付して、重複する説明を適宜省略する。
往復ハガキ１０は、アンケート回答欄１１ｄ上に、宛名ラベル貼付欄１１ｅを有する。
宛名ラベル１２は、アンケート回答欄１１ｄを隠蔽可能な大きさである。宛名ラベル１２は、宛名ラベル貼付欄１１ｅに貼付後、再剥離可能である。
【００２３】
（使用方法）
往復ハガキ１０を受け取った受取人は、アンケート回答欄１１ｄに必要事項を記入した後、ハガキ基材１１の表面から、宛名ラベル１２を剥がして、宛名ラベル貼付欄１１ｅに貼付して、アンケート回答欄１１ｄを隠蔽し、返送する。
返信された往復ハガキ１０を受け取ったアンケート回収者は、宛名ラベル１２は、再度、剥がして、アンケート回答欄１１ｄの記入事項を確認する。
【００２４】
本実施形態によれば、宛名ラベル１２は、返信時にアンケート回答欄１１ｄを隠蔽可能であるので、アンケート回答内容の秘密を保持することができ、プライバシー保護を図ることができる。
【００２５】
（変形形態）
以上説明した実施形態に限定されることなく、種々の変形や変更が可能であって、それらも本発明の均等の範囲内である。
例えば、使用用途は、アンケート調査に限られず、例えば、会合の出席調査等にも好適に使用することができる。
また、ハガキ基材１１に返信料金表示欄１１ｂが設けらていなくてもよい。このような場合は、返信人が、切手を貼付して、送付すればよい。
【００２６】
【発明の効果】
以上詳しく説明したように、請求項１の発明によれば、返信先の宛名を表示する返信宛名欄を有するハガキ基材と、その返信宛名欄に剥離可能に貼付され、往信先の宛名を表示する宛名ラベルとを備えるので、通常のハガキと同じ大きさの１枚のハガキ基材を使用して、往信及び返信することができる。
【００２７】
請求項２の発明によれば、返信先の宛名を表示する返信宛名欄を有するハガキ基材と、その返信宛名欄に剥離可能に貼付され、往信先の宛名を表示する宛名ラベルとを備えるので、通常のハガキと同じ大きさの１枚のハガキ基材を使用して、往信及び返信することができる。
また、ハガキ基材は、返信時の郵便料金を表示する返信料金表示欄が形成され、その返信料金表示欄に剥離可能に貼付され、往信時の郵便料金を表示する往信料金表示ラベルを備えるので、切手を貼付する必要がない。
【００２８】
請求項３の発明によれば、ハガキ基材は、質問欄及び回答欄を有するので、アンケート調査等に好適に使用することができる。
【００２９】
請求項４の発明によれば、ハガキ基材は、返信時に宛名ラベルを貼付する宛名ラベル貼付欄を有するので、返信人氏名等の記入の手間を省略することができ、また、誤入の心配もない。
【００３０】
請求項５の発明によれば、宛名ラベル貼付欄は、回答欄上に形成されているので、返信時に回答欄を隠蔽することができる。
【００３１】
請求項６の発明によれば、宛名ラベルを剥離して返信宛名欄を露出させ、切手を貼付し返信するので、１枚のハガキ基材を使用して、往信及び返信することができる。
【００３２】
請求項７の発明によれば、宛名ラベルを剥離して返信宛名欄を露出させ、往信料金表示ラベルを剥離して返信料金表示欄を露出させて返信するので、１枚のハガキ基材を使用して、往信及び返信することができ、また、切手貼付の手間を省略することができる。
【００３３】
請求項８の発明によれば、宛名ラベルを宛名ラベル貼付欄に貼付して返信するので、返信人氏名等の記入の手間を省略することができ、また、誤入の心配もない。
【００３４】
請求項９の発明によれば、宛名ラベルを回答欄に貼付し、その回答欄を隠蔽して返信するので、返信時のプライバシー保護を図ることができる。
【図面の簡単な説明】
【図１】本発明による往復ハガキの第１実施形態を示す図である。
【図２】本発明による往復ハガキのハガキ基材を示す図である。
【図３】本発明による往復ハガキの第１実施形態の使用方法を示す図である。
【図４】本発明による往復ハガキの第２実施形態を示す図である。
【図５】従来の往復ハガキを示す図である。
【符号の説明】
１０  往復ハガキ
１１  ハガキ基材
１１ａ  返信宛名欄
１１ｂ  返信料金表示欄
１１ｃ  アンケート質問票欄
１１ｄ  アンケート回答票欄
１１ｅ  宛名ラベル貼付欄
１２  宛名ラベル
１３  往信料金表示ラベル
【図１】
0004550250.tif 000002
【図２】
0004550250.tif 000003
【図３】
0004550250.tif 000004
【図４】
0004550250.tif 000005
【図５】
0004550250.tif 000006